(57)【特許請求の範囲】
【請求項１】
対向する２つの辺の中間部間を結ぶ第１の山折り線に沿って山折りすることにより、該第１の折り線の両側に位置する２つのシート側片の間で被防護物の少なくとも一部を覆う絶縁性シートであって、
前記第１の山折り線の一部により山折りされる第１のシート部と、前記第１の山折り線の他の一部により山折りされる第２のシート部と、該第１のシート部と該第２のシート部の端縁間を折り曲げ自在に連結する折り込みシート部と、を備え、
前記折り込みシート部は、前記第１の山折り線の一部と前記第１の山折り線の他部とが直線状に配置される直線姿勢と、前記第１の山折り線の一部と他部とが非直線状に交差する屈曲姿勢との間で姿勢変更できるように構成されていることを特徴とする絶縁性シート。
【請求項２】
前記折り込みシート部は、前記山折り線の両側に夫々配置された第１の折り込み部、及び第２の折り込み部を備え、
前記第１及び第２の折り込み部は、前記第１の山折り線上に共通の頂点を備え、且つ共通する一つの斜辺により折り曲げ自在に隣接する三角形状の三角シート片を備え、該共通する斜辺を谷折り線とし、且つ各三角シート片の他の斜辺と前記第１のシート部、又は前記第２のシート部とを接続する直線を山折り線としたことを特徴とする請求項１に記載の絶縁性シート。
【請求項３】
前記折り込みシート部は、前記山折り線の両側に夫々配置された第１の折り込み部、及び第２の折り込み部を備え、
前記第１及び第２の折り込み部は、前記第１の山折り線上に共通の頂点を備え、且つ共通する一つの斜辺により折り曲げ自在に隣接する三角形状の三角シート片を備え、該共通する斜辺を山折り線とし、且つ各三角シート片の他の斜辺と前記第１のシート部、又は前記第２のシート部とを接続する直線を谷折り線としたことを特徴とする請求項１に記載の絶縁性シート。
【請求項４】
前記第１のシート部と、前記第２のシート部には、前記山折り線と対向する辺寄りの位置でかつ前記辺とほぼ並行に被嵌入部材とを備えたことを特徴とする請求項１乃至３の何れか一項に記載の絶縁性シート。
【発明の詳細な説明】
【技術分野】
【０００１】
本発明は活線状態の配電設備工事等に用いられ、電線を被覆する絶縁性シートに関し、特に被覆される電線が張力のかかった直線状のものや、あるいは張力のかかっていない縁線のように曲線形状のものであっても簡単かつ確実に電線を被覆することができる絶縁性シートに関する。
【背景技術】
【０００２】
従来、配電線路に通電した状態で工事を行う活線工事が一般的に行われ、特に高圧架空配電線路の活線工事など、配電線路に近接して作業を行う場合には、作業位置周辺の電線に絶縁シートをかぶせ、シートクリップまたはシートはさみで仮固定することで、作業者が誤って電線に触れて短絡したり感電する事故を防いでいる。
また、従来は作業者が絶縁のためのゴム手袋を装着し、高圧絶縁シートを電線に被覆する、いわゆる直接活線作業が行われていたが、近年は作業者の安全性をより高めるため、絶縁ヤットコ等の器具を用いて絶縁シートを電線に被覆する間接活線作業が主流になりつつあり、器具で絶縁シートを電線に被覆しやすくするためのシートやクリップが開発されている。
このような間接活線作業で用いられるシートやクリップとしては、特許文献１に記載されているように、二つ折りにしたシートの折り目に平行な辺寄りの位置に円筒状の被嵌入部材が設けられ、該シートを挟み込むクリップの先端部には前記円筒状の被嵌入部材に挿入される嵌入部材が設けられ、クリップとシートとを一体的に構成した間接工法用シートはさみ及び間接シートがある。
また、特許文献２には予めクリップを絶縁シートに取付け、被防護物に挟持せしめつつ巻き回して取り付ける防護用絶縁シート及びクリップが開示されている。
【先行技術文献】
【特許文献】
【０００３】
【特許文献１】特開２０１１−６２００４公報
【特許文献２】特開平１０−２７１６２８公報
【発明の概要】
【発明が解決しようとする課題】
【０００４】
しかしながら、特許文献１に記載の間接工法用シート及びはさみは、張力が与えられた直線状の電線を被覆の対象としており、張力のかかっていない縁線等、電線が湾曲している場合には電線を確実に被覆できないという問題点があった。また特許文献２に記載の防護用絶縁シート及びクリップも引き下げ線等に用いられるものであり、電線は直線状のものが対象のため、曲がった電線に絶縁シートを確実に被覆することができないという問題点があった。そのため、従来、縁線等、湾曲した電線に絶縁シートを被覆する際には直接工法で用いられていた絶縁シート及びクリップを絶縁ヤットコ等の器具で装着する必要があり、間接工法用の器具、器材でないものを間接工法用の器具で装着しなければならないため、使い勝手が悪く、装着に手間や時間がかかる等の課題があった。
【課題を解決するための手段】
【０００５】
上記課題を解決するため、本発明にかかる請求項１記載の絶縁性シートは、対向する２つの辺の中間部間を結ぶ第１の山折り線に沿って山折りすることにより、該第１の山折り線の両側に位置する２つのシート側片の間で被防護物の少なくとも一部を覆う絶縁性シートであって、前記第１の山折り線の一部により山折りされる第１のシート部と、前記第１の山折り線の他の一部により山折りされる第２のシート部と、該第１のシート部と該第２のシート部の端縁間を折り曲げ自在に連結する折り込みシート部と、を備え、前記折り込みシート部は、前記第１の山折り線の一部と前記第１の山折り線の他部とが直線状に配置される直線姿勢と、前記第１の山折り線の一部と他部とが非直線状に交差する屈曲姿勢との間で姿勢変更できるように構成されていることを特徴とする。
本発明にかかる請求項２記載の絶縁性シートは、前記請求項１記載の絶縁性シートにおいて、前記折り込みシート部は、前記山折り線の両側に夫々配置された第１の折り込み部、及び第２の折り込み部を備え、前記第１及び第２の折り込み部は、前記第１の山折り線上に共通の頂点を備え、且つ共通する一つの斜辺により折り曲げ自在に隣接する三角形状の三角シート片を備え、該共通する斜辺を谷折り線とし、且つ各三角シート片の他の斜辺と前記第１のシート部、又は前記第２のシート部とを接続する直線を山折り線としたことを特徴とする。
【０００６】
本発明にかかる請求項３記載の絶縁性シートは、前記請求項１記載の絶縁性シートにおいて、前記折り込みシート部は、前記山折り線の両側に夫々配置された第１の折り込み部、及び第２の折り込み部を備え、前記第１及び第２の折り込み部は、前記第１の山折り線上に共通の頂点を備え、且つ共通する一つの斜辺により折り曲げ自在に隣接する三角形状の三角シート片を備え、該共通する斜辺を山折り線とし、且つ各三角シート片の他の斜辺と前記第１のシート部、又は前記第２のシート部とを接続する直線を谷折り線としたことを特徴とする。
請求項１乃至３の発明では、折り込みシート部を適宜折り込むことにより、第１の山折り線の形状を直線状又は非直線状に変形し、被防護物に沿わせて被覆することができる。
本発明にかかる請求項４記載の絶縁性シートは、前記請求項１乃至３の何れかに記載の絶縁性シートにおいて、前記第１のシート部と、前記第２のシート部には、前記山折り線と対向する辺寄りの位置でかつ前記辺とほぼ並行に被嵌入部材とを備えたことを特徴とする。
請求項４の発明では、被嵌入部材を設けたことにより、シートクリップ等、間接活線作業用の工具を装着することができるので、作業性が向上する。
【発明の効果】
【０００７】
この発明によれば、間接工法用の器具を用いて電線に絶縁性シートを被覆する際に、その絶縁性シートを被覆する対象が直線状の電線のみならず、縁線等、湾曲した電線であっても従来の絶縁シートと同様に確実かつ簡単に絶縁性シートを装着することができ、作業員の安全性を確実に確保できると共に作業の効率化を図ることが可能となる。
【図面の簡単な説明】
【０００８】
【図１】本発明にかかる絶縁性シート展開斜視図である。
【図２】本発明にかかる絶縁性シート１を山折り線１３で山折りし、かつ折り込みシート部７を展開した状態を示す平面図である。
【図３】本発明にかかる絶縁性シート１を防護対象物である電線３１に被覆した状態を示す図である。
【図４】本発明にかかる絶縁性シート１を電線に張力がかかっていない縁線等、非直線状の電線３１に被覆した状態を示す図である。
【図５】本発明にかかる絶縁性シートの他の実施例を示す斜視図である。
【図６】本発明にかかる絶縁性シートの他の実施例を示す斜視図である。
【図７】本発明にかかる絶縁性シートの他の実施例を示す斜視図である。
【発明を実施するための形態】
【０００９】
以下、本発明を図面に示した実施例に基づいて説明する。図１は本発明にかかる絶縁性シート展開斜視図であり、絶縁シートを被防護物側となる面から観察した図である。図１に示すように絶縁性シート１は、第１シート部３と第２シート部５と折り込みシート部７とからなる。絶縁性シート１は、第１シート部３と第２シート部５の対向する２つの辺９、１１の中間部間を結ぶ第１の山折り線１３に沿って山折りでき、第１シート部３は第１の山折り線１３の一部１３ａにより山折りされ、第２シート部５は第１の山折り線１３の他の一部１３ｂにより山折りされる。
これにより、絶縁性シートの第１の山折り線１３の両側に位置する第１シート部３のシート側片１５ａ、１５ｂ及び絶縁性シートの第１の山折り線１３の両側に位置する第２シート部５のシート側片１７ａ、１７ｂの間に電線等の被防護物の少なくとも一部を覆うことができる。
【００１０】
さらに、折り込みシート部７は山折り線１３の両側に夫々配置された三角形状のシート片からなる第１の折り込み部１９、及び三角形状のシート片からなる第２の折り込み部２１を備え、第１の折り込み部１９及び第２の折り込み部２１は第１の山折り線１３上に共通の頂点２３を備えている。二つの三角形状シート片１９、２１の共通する一つの斜辺２５を谷折り線とし、且つ三角形状のシート片１９と第１のシート部３とを接続する他の斜辺２６、又は、三角形状のシート片２１と第２のシート部５とを接続する他の斜辺２７を山折り線とすることで、折り込みシート部７が折り曲げ自在となっている。
このように折り込みシート部７を構成することで、第１シート部３と第２シート部５の端縁間（斜辺２６、２７間）を折り曲げ自在に連結し、第１の山折り線の一部１３ａと他部１３ｂとが直線状に配置される直線姿勢と、非直線状に交差する屈曲姿勢との間で姿勢変更できるように構成している。
【００１１】
図２は本発明にかかる絶縁性シート１を山折り線１３で山折りし、かつ折り込みシート部７を展開した状態を示す平面図である。絶縁性シート１を山折り線１３で山折りした状態において、第１シート部３及び第２シート部５の平面は四角形状であり、第１シート部３と第２シート部５との間に二つの三角形状シート片１９、２１を有している。上述のように、共通する斜辺２５は谷折り線であり、他の斜辺２６又は他の斜辺２７は山折り線である。更に、第１シート部３または第２シート部５のいずれか（本実施例では第２シート部５上）に他の斜辺２７を対称軸として斜辺２５と対称となる位置に谷折り線としての斜辺２９を設け、斜辺２７と斜辺２９とを有する部位を三角形状シート片２８としている。すなわち、三角形状シート片２１と三角形状シート片２８は斜辺２７を対称軸とする線対称な図形である。また、三角形状シート片１９と三角形状シート片２８は合同な図形である。
これにより、折り込みシート部７を斜辺２７及び斜辺２５にしたがって折り込むことで三角形状シート１９の他の斜辺２６が三角形状シート２１の他の斜辺２７と重なり、第１の山折り線の一部１３ａと他部１３ｂとを直線状に配置することができる（図３参照）。また、図２に示したように折り込みシート部７をすべて展開することで第１の山折り線の一部１３ａと他部１３ｂとが非直線状（Ｖ字状）となる。さらに、折り込みシート部７を山折り線２６、２７及び斜辺２５、斜辺２９にしたがって全て折り込むことでも第１の山折り線の一部１３ａと他部１３ｂとが非直線状（逆Ｖ字状）となる（図４参照）。
【００１２】
図３は本発明にかかる絶縁性シート１を防護対象物である電線３１に被覆した状態を示す図であり、折り込みシート部７を斜辺２７及び斜辺２５にしたがって折り込むことにより第１の山折り線の一部１３ａと他部１３ｂとが直線状に配置された状態となっている。このように電線３１に絶縁性シート１を被覆した状態でクリップ等を用いて絶縁性シートを固定することで電線３１の絶縁状態を維持することができる。
【００１３】
図４は本発明にかかる絶縁性シート１を電線に張力がかかっていない縁線等、非直線状の電線３１に被覆した状態を示す図であり、折り込みシート部７を斜辺２６、斜辺２７及び斜辺２５、斜辺２９にしたがって折り込むことにより第１の山折り線の一部１３ａと他部１３ｂとが非直線状に交差する屈曲姿勢となっている。また、電線への被覆状態の図示を省略するが、図２に示したように折り込みシート部７をすべて展開した状態で電線に被覆することで第１の山折り線の一部１３ａと他部１３ｂとが非直線状に交差する屈曲姿勢をとることも可能である。このような状態となった後、絶縁性シート１が電線３１から外れないように絶縁ヤットコ等の器具を用いて図示を省略したシートクリップで固定することで電線３１を絶縁状態に保つことができ、作業者の安全を確保することができる。また予め絶縁性シート１とシートクリップとを一体構造としたものを用いることで、より作業性が向上する。
【００１４】
このように、本実施形態において折り込みシート部７は、第一のシート部３と第二のシート部５との間に配置された２つの三角形状のシート片１９、２１により形成されている。本実施形態では、各斜辺（２５、２６、２７、２９）に沿って折り込みシート部７を折り込む例を示したが、斜辺以外の部分で折りたたんでも構わない。
また、折り込みシート部７の形状は、少なくとも第一の山折り線１３にて絶縁性シート１を２つ折りした時に、第一の山折り線１３側から、第一の山折り線１３に沿った辺（辺９、１１と交わる辺）に向かって裾広がり状となるように形成すればよく、必ずしも複数の三角形を組み合わせた形状とする必要はない。例えば、折り込みシート部７の形状を扇形状や台形状としてもよい。
このように折り込みシート部７を裾広がり形状とすることで、折り込みシート部７を折り込まない状態で絶縁性シート１を第一の山折り線１３に沿って２つ折りした時に、第一の山折り線１３の一部１３ａと他部１３ｂをＶ字状にすることができる。また、折り込みシート部７を折り込んだ状態で絶縁性シート１を第一の山折り線１３に沿って２つ折りすれば、第一の山折り線１３の一部１３ａと他部１３ｂを直線状又は逆Ｖ字状にすることができる。従って、山折り線の一部１３ａと他部１３ｂを電線に沿った形状とすることができ、直線状の電線であっても凹状又は凸状に湾曲した電線であっても、容易に被覆することができる。
【００１５】
図５は本発明にかかる絶縁性シートの他の実施例を示す斜視図であり、絶縁性シートとシートクリップとを一体に構成した構造の一例を示す図である。同図に示すように、絶縁性シート１の第１のシート部３と第２のシート部５には、それぞれシートクリップ３５ａ、３５ｂが設けられている。
シートクリップ３５ａは絶縁性シート１に挟み込んだ電線を挟持するための挟持部３７ａと、絶縁ヤットコ等の器具でシートクリップ３５ａを操作する操作部３９ａとからなり、軸４１ａを中心に挟持部３７ａのそれぞれが回動可能に軸支されており、操作部３９ａを操作することでシートクリップ３５ａの先端部の動きを制御することができる。また、各挟持部３７ａの先端部には着脱自在な円柱状の嵌入部材４３ａが挟持部３７ａの長手方向と直交する方向に設けられている。該嵌入部材４３ａは例えば挟持部３７ａの先端付近に設けた穴に円柱状の棒を挿入することで着脱自在な構造となっている。
【００１６】
一方、第１のシート部３には、第１のシート部３の山折り線１３ａと対向する辺１４ａ、１４ｂとほぼ並行であって、かつ辺１４ａ、１４ｂ寄りの位置に円筒状の被嵌入部材１６ａが固定されている。円筒状の被嵌入部材１６ａ内に円柱状の嵌入部材４３ａが挿入されることで、シートクリップ３５ａの挟持部３７ａの動きに応じて第１のシート部３の辺１４ａと１４ｂとの間の距離を接近又は離間させる構成となっている。
また、絶縁性シート１の第２のシート部５にもシートクリップ３５ｂの構造もシートクリップ３５ａと同様であり、操作部３９ｂを絶縁ヤットコ等の器具で操作することでシートクリップ３５ｂの先端部が開閉し、それにより第２のシート部５の山折り線１３ｂと対向する辺１８ａ、１８ｂ（１８ｂは図示せず）との間の距離を接近又は離間可能な構成となっている。このように絶縁性シート１にシートクリップ３５ａ、３５ｂを予め装着しておくことで、作業性をより高めることが可能であると共に、作業を行わない時は円柱状の嵌入部材４３ａ、４３ｂを挟持部３７ａ、３７ｂから抜き取ることで、絶縁性シート１からシートクリップ３５ａ、３５ｂを取り外すことができるので、収納等にシートクリップが邪魔になることがない。
【００１７】
図６（ａ）は本発明にかかる絶縁性シートの他の実施例を示す図であり、先の実施例における折り込みシート部７を蛇腹状部材４５にしたものである。蛇腹状部材４５は、絶縁シートを交互に連続的に山折り・谷折りしたものであり、蛇腹形成前の折り込みシート部７の絶縁シート形状は、矩形状でも三角形状であってもよい。このように蛇腹状部材４５を用いることで、第１の山折り線の一部１３ａと他部１３ｂとを直線状に配置することも可能であり、また（ｂ）に示すように第１の山折り線の一部１３ａと他部１３ｂとの成す角を自由に設定することができる。したがって、被覆すべき電線の曲がり具合に関わらず、絶縁性シート１を電線に沿わせて被覆することができるので、作業の安全性を高めることができる。なお、図５に示したようなシートクリップを予め装着するための部材（図５においては円筒状の被嵌入部材）を設けておいても良い。
なお、上記実施例では折り込みシート部７の構成において、斜辺２５、２９を谷折り線、斜辺２６、２７を山折り線として説明したが、谷折り線と山折り線とを入れ替えて、斜辺２５、２９を山折り線、斜辺２６、２７を谷折り線として折り込みシート部７を構成しても、同様の機能を有し、第１の山折り線の一部１３ａと他部１３ｂとを直線状に配置し、あるいは非直線状に交差するよう配置することができる。
【００１８】
また、上記実施例では、シートクリップ３５ａ、３５ｂを絶縁性シート１から着脱自在な構成を示して説明したが、着脱させずに常に一体的な構造のものとしても良い。また、シートクリップ３５ａ、３５ｂを着脱自在にするために挟持部３７ａ、３７ｂの先端に設けた円柱状の嵌入部材４３ａ、４３ｂと嵌合する被嵌入部材１６ａ、１６ｂを用いた例をあげたが、挟持部３７ａ、３７ｂの先端の動きと第１のシート部３および第２のシート部５の動きを連動させる構造であれば、他の構造を用いても良い。他の構造としては、図７に示すように、絶縁性シート１の辺１４ａ寄りの位置であって、シート部３および５に長手方向中間部に凹状構造を有する固定具４７を取り付け、固定具４７の凹部４７ａにシートクリップ３５の挟持部３７を挿入し、ボルト４９等で挟持部３７が固定具４７から脱落しないようにすれば良い。
【００１９】
以上説明したように、本発明にかかる絶縁性シートによれば、被覆対象たる電線が直線状、あるいは縁線等のように湾曲したものであっても確実かつ簡単に絶縁性シートを装着することができ、作業員の安全性を確保でき、更に絶縁性シートにシートクリップを固定した構造とすることで絶縁性シートの装着をより簡単にすることができるので、間接工法による作業において作業の効率化を図ることができる。
【符号の説明】
【００２０】
１…絶縁性シート、３…第１シート部、５…第２シート部、７…折り込みシート部、１３…第１の山折り線、１３ａ…第１の山折り線の一部、１３ｂ…第１の山折り線の他部、１６ａ、１６ｂ…被嵌入部材、１９…第１の折り込み部、２１…第２の折り込み部、２３…頂点
【図１】
0005763577.tif 000002
【図２】
0005763577.tif 000003
【図３】
0005763577.tif 000004
【図４】
0005763577.tif 000005
【図５】
0005763577.tif 000006
【図６】
0005763577.tif 000007
【図７】
0005763577.tif 000008